(57)【要約】  本発明は、再連系時においても、電力系統の安定性を高めるようにしたものである。  連系時間設定装置（４００）は、設定手段（１１２）と、出力手段（１１３）とを少なくとも備える。前記設定手段（１１２）は、電力系統に連系可能な複数の蓄電システムの夫々が、前記電力系統との解列後に、前記電力系統における電力供給が可能になった時点から、連系を開始するまでの時間を示す連系開始時間を、前記蓄電システム毎、または、１以上の前記蓄電システムを含む蓄電システム群毎に異なるように、前記蓄電システム、または、前記蓄電システム群に含まれる前記蓄電システムに設定する。前記出力手段（１１３）は、前記設定された連系開始時間を出力する。
2016063536.tif 000002
【特許請求の範囲】
【請求項１】
電力系統に連系可能な複数の蓄電システムの夫々が、前記電力系統との解列後に、前記電力系統における電力供給が可能になった時点から、連系を開始するまでの時間を示す連系開始時間を、前記蓄電システム毎、または、１以上の前記蓄電システムを含む蓄電システム群毎に異なるように、前記蓄電システム、または、前記蓄電システム群に含まれる前記蓄電システムに設定する設定手段と、  前記設定された連系開始時間を出力する出力手段と、を備えることを特徴とする連系時間設定装置。
【請求項２】
前記設定手段は、前記蓄電システム群に含まれる前記１以上の蓄電システムの前記連系開始時間が同じになるように、前記連系開始時間を設定する、ことを特徴とする請求項１に記載の連系時間設定装置。
【請求項３】
前記設定手段は、入力情報に応じて、前記連系開始時間を算出することにより、前記連系開始時間を設定する、ことを特徴とする請求項１または２に記載の連系時間設定装置。
【請求項４】
前記入力情報は、前記蓄電システムまたは前記蓄電システム群の固有の情報である、ことを特徴とする請求項３に記載の連系時間設定装置。
【請求項５】
前記入力情報は、以前に、前記蓄電システムまたは前記蓄電システム群に含まれる前記蓄電システムに設定された連系開始時間である、ことを特徴とする請求項３または４に記載の連系時間設定装置。
【請求項６】
前記設定手段は、前記電力系統との解列後に前記電力系統からの電力供給が可能になる度に、前記連系開始時間を設定することを特徴とする、請求項１から５の何れか１項に記載の連系時間設定装置。
【請求項７】
電力系統に連系可能な蓄電システムであって、  前記電力系統との解列後に、前記電力系統における電力供給が可能になった時点から、連系を開始するまでの時間を示す連系開始時間を設定する設定手段と、  前記電力供給が可能になった時点から、前記設定された連系開始時間の経過後に、前記電力系統に連系するよう制御する制御手段と、を備え、  前記設定手段は、自システムが連系可能な前記電力系統に連系可能な他の蓄電システム、または、自システムが属する蓄電システム群とは異なる蓄電システム群に含まれ、かつ、前記電力系統に連系可能な１以上の蓄電システム、とは異なる連系開始時間となるように前記連系開始時間を設定することを特徴とする蓄電システム。
【請求項８】
前記設定手段は、前記蓄電システム群に含まれる前記１以上の蓄電システムの前記連系開始時間が同じになるように、前記連系開始時間を設定する、ことを特徴とする請求項７に記載の蓄電システム。
【請求項９】
前記設定手段は、入力情報に応じて、前記連系開始時間を算出することにより、前記連系開始時間を設定する、ことを特徴とする請求項７または８に記載の蓄電システム。
【請求項１０】
前記入力情報は、自システム、または、自システムが属する蓄電システム群の固有の情報である、ことを特徴とする請求項９に記載の蓄電システム。
【請求項１１】
前記入力情報は、前記設定手段によって、以前に、自システムに設定された連系開始時間である、ことを特徴とする請求項９または１０に記載の蓄電システム。
【請求項１２】
前記設定手段は、前記電力系統との解列後に前記電力系統からの電力供給が可能になる度に、前記連系開始時間を設定することを特徴とする、請求項７から１１の何れか１項に記載の蓄電システム。
【請求項１３】
自システムが連系を開始するまでの時間を表示する表示手段を更に備えることを特徴とする請求項７から１２の何れか１項に記載の蓄電システム。
【請求項１４】
電力系統に連系可能な複数の蓄電システムの夫々を制御する連系時間設定装置であって、  前記蓄電システムの夫々が、前記電力系統との解列後に、前記電力系統における電力供給が可能になった時点から、連系を開始するまでの時間を示す連系開始時間を、前記蓄電システム毎、または、１以上の前記蓄電システムを含む蓄電システム群毎に異なるように、前記蓄電システム、または、前記蓄電システム群に含まれる前記蓄電システムに設定する設定手段と、  前記設定された連系開始時間を、該連系開始時間が設定された蓄電システムに出力する出力手段と、を備えることを特徴とする連系時間設定装置。
【請求項１５】
前記設定手段は、前記蓄電システム群に含まれる前記１以上の蓄電システムの前記連系開始時間が同じになるように、前記連系開始時間を設定する、ことを特徴とする請求項１４に記載の連系時間設定装置。
【請求項１６】
前記設定手段は、入力情報に応じて、前記連系開始時間を算出することにより、前記連系開始時間を設定する、ことを特徴とする請求項１４または１５に記載の連系時間設定装置。
【請求項１７】
前記入力情報は、前記蓄電システムまたは前記蓄電システム群の固有の情報である、ことを特徴とする請求項１６に記載の連系時間設定装置。
【請求項１８】
前記入力情報は、前記設定手段によって、以前に、前記蓄電システムまたは前記蓄電システム群に含まれる前記蓄電システムに設定された連系開始時間である、ことを特徴とする請求項１６または１７に記載の連系時間設定装置。
【請求項１９】
前記設定手段は、前記電力系統との解列後に前記電力系統からの電力供給が可能になる度に、前記連系開始時間を設定することを特徴とする、請求項１４から１８の何れか１項に記載の連系時間設定装置。
【請求項２０】
前記連系時間設定装置は、前記蓄電システム、または、前記蓄電システム群に含まれる前記蓄電システムが連系を開始するまでの時間を、前記蓄電システム、または、前記蓄電システム群毎に表示する表示手段を備えることを特徴とする請求項１４から１９の何れか１項に記載の連系時間設定装置。
【請求項２１】
電力系統に連系可能な複数の蓄電システムを備え、  前記複数の蓄電システムの夫々は、前記電力系統との解列後に、前記電力系統における電力供給が可能になった時点から、連系を開始するまでの時間を示す連系開始時間を、前記蓄電システム毎、または、１以上の前記蓄電システムを含む蓄電システム群毎に異なるように、前記蓄電システム、または、前記蓄電システム群に含まれる前記蓄電システムに設定する連系時間設定手段を備えることを特徴とする電力制御システム。
【請求項２２】
電力系統に連系可能な複数の蓄電システムと、  前記蓄電システムの夫々を制御する連系時間設定装置と、を備え、  前記連系時間設定装置は、前記複数の蓄電システムの夫々が、前記電力系統との解列後に、前記電力系統における電力供給が可能になった時点から、連系を開始するまでの時間を示す連系開始時間を、前記蓄電システム毎、または、１以上の前記蓄電システムを含む蓄電システム群毎に異なるように、前記蓄電システム、または、前記蓄電システム群に含まれる前記蓄電システムに設定する連系時間設定手段、を備えることを特徴とする電力制御システム。
【請求項２３】
電力系統に連系可能な蓄電システムであって、前記電力系統との解列後に、前記電力系統における電力供給が可能になった時点から連系を開始するまでの時間を示す連系開始時間を、入力情報に応じて異なるように設定する設定手段と、前記設定された連系開始時間を出力する出力手段と、を備えることを特徴とする蓄電システム。
【請求項２４】
電力系統に連系可能な複数の蓄電システムの夫々が、前記電力系統との解列後に、前記電力系統における電力供給が可能になった時点から、連系を開始するまでの時間を示す連系開始時間を、前記蓄電システム毎、または、１以上の前記蓄電システムを含む蓄電システム群毎に異なるように、前記蓄電システム、または、前記蓄電システム群に含まれる前記蓄電システムに設定する、ことを特徴とする連系時間設定方法。
【請求項２５】
電力系統との解列後に、前記電力系統における電力供給が可能になった時点から、連系を開始するまでの時間を示す連系開始時間を、自システムが連系可能な前記電力系統に連系可能な他の蓄電システム、または、自システムが属する蓄電システム群とは異なる蓄電システム群に含まれ、かつ、前記電力系統に連系可能な１以上の蓄電システム、とは異なるように設定し、  前記電力供給が可能になった時点から、前記設定された連系開始時間の経過後に、前記電力系統に連系するよう制御する、ことを特徴とする制御方法。
【請求項２６】
電力系統に連系可能な複数の蓄電システムの夫々が、前記電力系統との解列後に、前記電力系統における電力供給が可能になった時点から、連系を開始するまでの時間を示す連系開始時間を、前記蓄電システム毎、または、１以上の前記蓄電システムを含む蓄電システム群毎に異なるように、前記蓄電システム、または、前記蓄電システム群に含まれる前記蓄電システムに設定し、  前記設定された連系開始時間を、該連系開始時間が設定された蓄電システムに出力する、ことを特徴とする制御方法。
【請求項２７】
電力系統に連系可能な複数の蓄電システムの夫々が、前記電力系統との解列後に、前記電力系統における電力供給が可能になった時点から、連系を開始するまでの時間を示す連系開始時間を、前記蓄電システム毎、または、１以上の前記蓄電システムを含む蓄電システム群毎に異なるように、前記蓄電システム、または、前記蓄電システム群に含まれる前記蓄電システムに設定する処理と、  前記設定された連系開始時間を出力する処理と、をコンピュータに実行させるプログラムを記憶する、コンピュータ読み取り可能な記録媒体。
【請求項２８】
電力系統との解列後に、前記電力系統における電力供給が可能になった時点から、連系を開始するまでの時間を示す連系開始時間を、自システムが連系可能な前記電力系統に連系可能な他の蓄電システム、または、自システムが属する蓄電システム群とは異なる蓄電システム群に含まれ、かつ、前記電力系統に連系可能な１以上の蓄電システムとは異なるように設定する処理と、  前記電力供給が可能になった時点から、前記設定された連系開始時間の経過後に、前記電力系統に連系するよう制御する処理と、をコンピュータに実行させるプログラムを記憶する、コンピュータ読み取り可能な記録媒体。
【請求項２９】
電力系統に連系可能な複数の蓄電システムの夫々が、前記電力系統との解列後に、前記電力系統における電力供給が可能になった時点から、連系を開始するまでの時間を示す連系開始時間を、前記蓄電システム毎、または、１以上の前記蓄電システムを含む蓄電システム群毎に異なるように、前記蓄電システム、または、前記蓄電システム群に含まれる前記蓄電システムに設定する処理と、  前記設定された連系開始時間を、該連系開始時間が設定された蓄電システムに出力する処理と、をコンピュータに実行させるプログラムを記憶する、コンピュータ読み取り可能な記録媒体。
【発明の詳細な説明】
【技術分野】
【０００１】  本発明は、連系時間設定装置、蓄電システム、電力制御システム、連系時間設定方法、制御方法、および、記録媒体に関する。
【背景技術】
【０００２】  近年、電力系統に接続された蓄電システムが利用されている。この蓄電システムは、電力系統の需給状況に応じて、または負荷の状態に応じて、充電または放電動作を行う。また、蓄電システムは、停電により電力系統から負荷へ電力の供給ができない場合にも負荷に電力を供給する。【０００３】  このような蓄電システム（蓄電池）を備えたシステムが、例えば、特許文献１に記載されている。
【先行技術文献】
【特許文献】
【０００４】
【特許文献１】特開２０１４−１２８１４０号公報
【発明の概要】
【発明が解決しようとする課題】
【０００５】  特許文献１に記載のシステムのように１つの電力系統に複数の負荷が接続された電力制御システムが考えられる。このような電力制御システムでは、この複数の負荷の夫々に対応付けられ、該電力系統に連系した蓄電システムが設けられている。【０００６】  このような蓄電システムでは、電力系統が停電したとき、電力系統との接続を切り離す。そして、蓄電システムは、電力系統が停電状態から復電したことを検知した後、電力会社等が規定した所定時間待機してから、電力系統に連系する。この所定時間は、一般的には、蓄電システムの設置時に固定的に設定される。【０００７】  この所定時間の経過後、全ての蓄電システムが一斉に電力系統に連系（再連系）すると、各蓄電システムは、充電を開始する可能性がある。これにより、各蓄電システムが連系する電力系統が不安定になる可能性があるという問題があった。【０００８】  本発明は上記問題に鑑みてなされたものであり、その目的は、再連系時であっても、電力系統の安定性を向上させる技術を提供することにある。
【課題を解決するための手段】
【０００９】  本発明の一態様に係る連系時間設定装置は、電力系統に連系可能な複数の蓄電システムの夫々が、前記電力系統との解列後に、前記電力系統における電力供給が可能になった時点から、連系を開始するまでの時間を示す連系開始時間を、前記蓄電システム毎、または、１以上の前記蓄電システムを含む蓄電システム群毎に異なるように、前記蓄電システム、または、前記蓄電システム群に含まれる前記蓄電システムに設定する設定手段と、前記設定された連系開始時間を出力する出力手段と、を備える。【００１０】  また、本発明の一態様に係る蓄電システムは、電力系統に連系可能な蓄電システムであって、前記電力系統との解列後に、前記電力系統における電力供給が可能になった時点から、連系を開始するまでの時間を示す連系開始時間を設定する設定手段と、前記電力供給が可能になった時点から、前記設定された連系開始時間の経過後に、前記電力系統に連系するよう制御する制御手段と、を備え、前記設定手段は、自システムが連系可能な前記電力系統に連系可能な他の蓄電システム、または、自システムが属する蓄電システム群とは異なる蓄電システム群に含まれ、かつ、前記電力系統に連系可能な１以上の蓄電システム、とは異なる連系開始時間となるように前記連系開始時間を設定する。【００１１】  また、本発明の一態様に係る連系時間設定装置は、電力系統に連系可能な複数の蓄電システムの夫々を制御する連系時間設定装置であって、前記蓄電システムの夫々が、前記電力系統との解列後に、前記電力系統における電力供給が可能になった時点から、連系を開始するまでの時間を示す連系開始時間を、前記蓄電システム毎、または、１以上の前記蓄電システムを含む蓄電システム群毎に異なるように、前記蓄電システム、または、前記蓄電システム群に含まれる前記蓄電システムに設定する設定手段と、前記設定された連系開始時間を、該連系開始時間が設定された蓄電システムに出力する出力手段と、を備える。【００１２】  また、本発明の一態様に係る電力制御システムは、電力系統に連系可能な複数の蓄電システムを備え、前記複数の蓄電システムの夫々は、前記電力系統との解列後に、前記電力系統における電力供給が可能になった時点から、連系を開始するまでの時間を示す連系開始時間を、前記蓄電システム毎、または、１以上の前記蓄電システムを含む蓄電システム群毎に異なるように、前記蓄電システム、または、前記蓄電システム群に含まれる前記蓄電システムに設定する連系時間設定手段を備える。【００１３】  また、本発明の一態様に係る電力制御システムは、電力系統に連系可能な複数の蓄電システムと、前記蓄電システムの夫々を制御する連系時間設定装置と、を備え、前記連系時間設定装置は、前記複数の蓄電システムの夫々が、前記電力系統との解列後に、前記電力系統における電力供給が可能になった時点から、連系を開始するまでの時間を示す連系開始時間を、前記蓄電システム毎、または、１以上の前記蓄電システムを含む蓄電システム群毎に異なるように、前記蓄電システム、または、前記蓄電システム群に含まれる前記蓄電システムに設定する連系時間設定手段、を備える。【００１４】  また、本発明の一態様に係る蓄電システムは、電力系統に連系可能な蓄電システムであって、前記電力系統との解列後に、前記電力系統における電力供給が可能になった時点から連系を開始するまでの時間を示す連系開始時間を、入力情報に応じて異なるように設定する設定手段と、前記設定された連系開始時間を出力する出力手段と、を備える。【００１５】  また、本発明の一態様に係る連系時間設定方法は、電力系統に連系可能な複数の蓄電システムの夫々が、前記電力系統との解列後に、前記電力系統における電力供給が可能になった時点から、連系を開始するまでの時間を示す連系開始時間を、前記蓄電システム毎、または、１以上の前記蓄電システムを含む蓄電システム群毎に異なるように、前記蓄電システム、または、前記蓄電システム群に含まれる前記蓄電システムに設定する。【００１６】  また、本発明の一態様に係る制御方法は、電力系統との解列後に、前記電力系統における電力供給が可能になった時点から、連系を開始するまでの時間を示す連系開始時間を、自システムが連系可能な前記電力系統に連系可能な他の蓄電システム、または、自システムが属する蓄電システム群とは異なる蓄電システム群に含まれ、かつ、前記電力系統に連系可能な１以上の蓄電システム、とは異なるように設定し、前記電力供給が可能になった時点から、前記設定された連系開始時間の経過後に、前記電力系統に連系するよう制御する。【００１７】  また、本発明の一態様に係る制御方法は、電力系統に連系可能な複数の蓄電システムの夫々が、前記電力系統との解列後に、前記電力系統における電力供給が可能になった時点から、連系を開始するまでの時間を示す連系開始時間を、前記蓄電システム毎、または、１以上の前記蓄電システムを含む蓄電システム群毎に異なるように、前記蓄電システム、または、前記蓄電システム群に含まれる前記蓄電システムに設定し、前記設定された連系開始時間を、該連系開始時間が設定された蓄電システムに出力する。【００１８】  なお、上記各装置、各システムまたは各方法を、コンピュータによって実現するコンピュータプログラム、およびそのコンピュータプログラムが格納されている、コンピュータ読み取り可能な記憶媒体も、本発明の範疇に含まれる。
【発明の効果】
【００１９】  本発明によれば、再連系時であっても、電力系統の安定性を向上させることができる。
【図面の簡単な説明】
【００２０】
【図１】本発明の第１の実施の形態に係る蓄電システムを含む電力制御システムの全体構成の概略の一例を示す図である。
【図２】本発明の第１の実施の形態に係る制御装置の機能構成の一例を示す機能ブロック図である。
【図３】本発明の第１の実施の形態に係る制御装置の連系時間設定部における、連系時間設定処理の流れの一例を示すフローチャートである。
【図４】本発明の第１の実施の形態に係る制御装置における、再連系制御処理の流れの一例を示すフローチャートである。
【図５】本発明の第２の実施の形態に係る蓄電システムを含む電力制御システムの全体構成の概略の一例を示す図である。
【図６】本発明の第３の実施の形態に係る制御装置の機能構成の一例を示す機能ブロック図である。
【図７】本発明の第３の実施の形態に係る制御装置の再連系制御処理の流れの一例を示すフローチャートである。
【図８】本発明の第４の実施の形態に係る電力制御システムの全体構成の概略の一例を示す図である。
【図９】本発明の第４の実施の形態に係る電力制御システムにおける蓄電システムの制御装置、および、連系時間設定装置の機能構成の一例を示す機能ブロック図である。
【図１０】本発明の第６の実施の形態に係る電力制御システムにおける蓄電システムの制御装置、および、連系時間設定装置の機能構成の一例を示す機能ブロック図である。
【図１１】本発明の第６の実施の形態に係る制御装置および連系時間設定装置の処理の流れの一例を示すフローチャートである。
【図１２】本発明の第７の実施の形態に係る連系時間設定装置の機能構成の一例を示す機能ブロック図である。
【図１３】本発明の各実施の形態を実現可能なコンピュータ（情報処理装置）のハードウェア構成を例示的に説明する図である。
【発明を実施するための形態】
【００２１】  ＜第１の実施の形態＞  本発明の実施の形態について、図面を参照して詳細に説明する。図１は、本実施の形態に係る蓄電システム１を含む電力制御システム１０の全体構成の概略の一例を示す図である。図１に示す通り、電力制御システム１０は、複数の負荷（３−１〜３−Ｎ）（Ｎは自然数）の夫々に電力を供給するシステムである。電力制御システム１０は、複数の蓄電システム（１―１〜１−Ｎ）と、電力系統２とを含んでいる。
【００２２】  なお、本実施の形態では、複数の負荷（３−１〜３−Ｎ）の夫々を区別しない場合、または、総称する場合には、これらを負荷３と呼ぶ。また、本実施の形態では、複数の蓄電システム（１―１〜１−Ｎ）の夫々を区別しない場合、または、総称する場合には、これらを蓄電システム１と呼ぶ。また、図面中の矢印の方向は、一例を示すものであり、ブロック間の信号の向きを限定するものではない。以降に参照する、他のブロック図においても同様に、図面中の矢印の方向は、一例を示すものであり、ブロック間の信号の向きを限定するものではない。
【００２３】  電力系統２には、蓄電システム１を介して複数の負荷３が接続される。また、電力系統２には、複数の蓄電システム１が並列に連系される。電力系統２は、連系時、複数の負荷３の夫々に電力を供給する。
【００２４】  複数の蓄電システム１の夫々は、連系時、対応する負荷３の状態に応じて、電力系統２から供給された電力を蓄電、または、蓄電された電力を負荷３に対して給電する。また、複数の蓄電システム１の夫々は、電力系統２の停電時、対応する負荷３に対して、電力を供給する。この蓄電システム（１−１〜１−Ｎ）には、夫々、制御装置（１００−１〜１００−Ｎ）と、スイッチ部（１１−１〜１１−Ｎ）と、ＰＣＳ（Ｐｏｗｅｒ  Ｃｏｎｄｉｔｉｏｎｉｎｇ  Ｓｕｂｓｙｓｔｅｍ）（１２−１〜１２−Ｎ）と、電池システム（１３−１〜１３−Ｎ）とが含まれる。
【００２５】  なお、本実施の形態では、制御装置（１００−１〜１００−Ｎ）の夫々を区別しない場合、または、総称する場合には、これらを制御装置１００と呼ぶ。また、本実施の形態では、スイッチ部（１１−１〜１１−Ｎ）の夫々を区別しない場合、または、総称する場合には、これらをスイッチ部１１と呼ぶ。また、本実施の形態では、ＰＣＳ（１２−１〜１２−Ｎ）の夫々を区別しない場合、または、総称する場合には、これらをＰＣＳ１２と呼ぶ。また、本実施の形態では、電池システム（１３−１〜１３−Ｎ）の夫々を区別しない場合、または、総称する場合には、これらを電池システム１３と呼ぶ。
【００２６】  ＰＣＳ１２は、双方向のＡＣ（Ａｌｔｅｒｎａｔｉｎｇ  Ｃｕｒｒｅｎｔ）／ＤＣ（Ｄｉｒｅｃｔ  Ｃｕｒｒｅｎｔ）変換を行う。また、電池システム１３は、ＢＭＵ（Ｂａｔｔｅｒｙ  Ｍａｎａｇｅｍｅｎｔ  Ｕｎｉｔ：電池管理装置）と組電池とで構成される。なお、ＰＣＳ１２および電池システム１３は、一般的なものであり、本発明の各実施の形態に特有なものではないため、詳細な説明は省略する。
【００２７】  スイッチ部１１は、電力系統２の停電を検知するセンサと、センサの出力に基づいて、電力系統２と負荷３および蓄電システム１とを連系させるスイッチと、を含む。スイッチ部１１は、スイッチを閉じる（オンにする）ことにより、電力系統２と、負荷３および蓄電システム１とを連系させる。また、センサが停電を検知したとき、つまり、センサが所定の値以下の電力を検知したとき、スイッチ部１１は、スイッチを開放することにより、電力系統２と、負荷３および蓄電システム１との連系を遮断（解列）する。
【００２８】  また、スイッチ部１１は、電力系統２が復電したとき、つまり、センサが所定の値を超える電力を検知したとき、復電を検知したことを示す信号（復電通知）を、制御装置１００に送信する機能を有する。また、スイッチ部１１は、停電を検知し、スイッチを開放したことを示す信号（解列通知）を、制御装置１００に送信する機能を有する。
【００２９】  また、解列しているときに、復電を検知した後、再び、センサが所定の値以下の電力を検知した場合、スイッチ部１１は、センサが所定の値以下の電力を検知したことを示す信号（つまり、停電を検知したことを示す信号（停電通知））を制御装置１００に送信する機能を有する。
【００３０】  スイッチ部１１は、制御装置１００から送信された制御信号に基づいて、スイッチの動作を制御する機能を有する。スイッチ部１１は、スイッチを閉じているときに、停電を検知すると、停電通知を制御装置１００に送信してもよい。このとき、スイッチ部１１のスイッチは、スイッチ部１１の内部の制御によって、開放されてもよいし、制御装置１００からの制御信号に基づいて、開放されるものであってもよい。
【００３１】  制御装置１００は、スイッチ部１１に対し、スイッチの開閉を制御する制御信号を送信する。また、制御装置１００は、スイッチ部１１から停電を示す信号を受信する。
【００３２】  制御装置１００の具体的な機能構成については、図面を変えて説明する。
【００３３】  （制御装置１００）  図２は、本実施の形態に係る制御装置１００の機能構成の一例を示す機能ブロック図である。図２に示す通り制御装置１００は、制御部１０１、表示部１０２および連系時間設定部（連系時間設定装置）１１０を備えている。また、連系時間設定部１１０は、収集部１１１、設定部１１２および出力部１１３を備えている。また、制御装置１００は、記憶部１０３を更に備える構成であってもよい。
【００３４】  なお、図２に示す制御装置１００は、本発明の実施の形態に特有な構成について示したものであり、図２に示す制御装置１００が図２に示されていない部材を有していてもよいことは言うまでもない。
【００３５】  連系時間設定部１１０は、蓄電システム１が電力系統２と解列した後、電力系統２における電力供給が可能になった時点から、連系を開始するまでの時間を設定する。本実施の形態における復電とは、蓄電システム１が電力系統２と解列した後、電力系統２からの電力供給が可能になることを示す。また、蓄電システム１が電力系統２と解列した後であって、電力系統２における電力供給が可能になった時点を、以降では復電時刻と呼ぶ。また、復電時刻から、蓄電システム１が、電力系統２と連系を開始するまでの時間（期間）を連系開始時間と呼ぶ。そして、蓄電システム１が復電後に連系することを再連系と呼ぶ。なお、電力系統における電力供給が可能になるとは、復電通知を受領する、系統において電力が供給され所定周波数の範囲内、または所定電圧の範囲内であることを意味する。
【００３６】  収集部１１１は、蓄電システム１の固有の情報を収集する手段である。蓄電システム１の固有の情報は、例えば、蓄電システム１（または、ＰＣＳ１２、電池システム１３等）の製造番号、蓄電システム１が設置された場所を示す情報、蓄電システム１の利用者を示すユーザ番号等が挙げられるが、これに限定されるものではない。蓄電システム１の固有の情報は、例えば、この蓄電システム１に、以前に、該蓄電システム１によって、または、利用者によって設定された連系開始時間であってもよい。また、蓄電システム１の固有の情報は、例えば、蓄電システム１に含まれる組電池のＳＯＣ（Ｓｔａｔｅ  Ｏｆ  Ｃｈａｒｇｅ）情報であってもよい。また、上記固有の情報には、連系開始時間の優先度を示す情報が含まれていてもよい。この優先度は、例えば、電気料金の高低に応じて設定されるものであってもよい。例えば、電気料金をより多く支払っている需要家に対する優先度をより高く設定してもよい。また、上記固有の情報は、蓄電システム１に含まれる組電池の劣化情報であってもよい。また、上記固有の情報には、現在時刻が含まれてもよい。
【００３７】  また、収集部１１１が上記固有の情報を収集する方法は特に限定されない。収集部１１１は、例えば、後述する記憶部１０３に格納された、製造番号等の該蓄電システム１に関する設定情報を、記憶部１０３から取得してもよい。また、収集部１１１は、例えば、蓄電システム１が設置された場所を示す情報をＧＰＳ（Ｇｌｏｂａｌ  Ｐｏｓｉｔｉｏｎｉｎｇ  Ｓｙｓｔｅｍ）を用いて取得してもよい。
【００３８】  また、収集部１１１は、予め電力会社等によって設定された連系開始時間の最小値および最大値を取得する。
【００３９】  そして、収集部１１１は、取得した情報を、設定部１１２に出力する。なお、収集部１１１は、連系時間設定部１１０に内蔵されることを例に説明を行ったが、収集部１１１は、連系時間設定部１１０の外部に設けられてもよい。収集部１１１は、蓄電システム１の固有の情報を収集し、収集した情報を設定部１１２に出力できる部位に設けられていればよい。
【００４０】  設定部１１２は、収集部１１１から出力された情報を、該設定部１１２の入力情報として受信する。設定部１１２は、連系開始時間が電力制御システム１０に含まれる複数の蓄電システム１毎に異なるように、該連系開始時間を算出する。例えば、制御装置１００−１の連系時間設定部１１０の設定部１１２は、連系開始時間を、自システム（蓄電システム１−１）が連系する電力系統２に連系可能な他の蓄電システム（蓄電システム１−２〜蓄電システム１−Ｎ）の連系開始時間とは異なるように設定する。同様に、制御装置１００−２の連系時間設定部１１０の設定部１１２は、連系開始時間を、自システム（蓄電システム１−２）が連系する電力系統２に連系可能な他の蓄電システム（蓄電システム１−１、蓄電システム１−３〜蓄電システム１−Ｎ）の連系開始時間とは異なるように設定する。
【００４１】  具体的には、設定部１１２は、入力情報に応じて、連系開始時間を算出する。つまり、設定部１１２は、上記入力情報を入力とし、所定の関数を用いて連系開始時間を算出する。このとき、設定部１１２は、連系開始時間が予め電力会社等によって設定された連系開始時間の最小値から最大値の間の値になるように、算出する。設定部１１２が算出に使用する関数は、例えば、乱数関数、ｍｏｄ関数、ハッシュ関数等が挙げられるが、これに限定されるものではない。また、設定部１１２は、上記関数を組み合わせて使用してもよい。そして、設定部１１２は、算出結果を、蓄電システム１の連系開始時間として設定する。
【００４２】  なお、設定部１１２は、複数の蓄電システム１における連系開始時間が、予め電力会社等によって設定された連系開始時間の最小値から最大値の間で、一様に分布するように、各蓄電システム１の連系開始時間を設定することが好ましい。また、設定部１１２は、上記固有の情報には、連系開始時間の優先度を示す情報が含まれている場合、この優先度に応じて、連系開始時間の長さを変更してもよい。
【００４３】  出力部１１３は、設定部１１２が設定した連系開始時間を連系時間設定部１１０の出力として、出力する。本実施の形態では、出力部１１３は、連系開始時間を制御部１０１に出力する。なお、出力部１１３は、設定部１１２が設定した連系開始時間を、記憶部１０３に格納してもよい。
【００４４】  記憶部１０３は、出力部１１３が出力した連系開始時間を格納する。なお、記憶部１０３は、蓄電システム１の設定情報等の固有の情報を格納してもよい。また、記憶部１０３は、制御装置１００の内部に設けられるものであってもよいし、制御装置１００とは別個の記憶装置で実現されるものであってもよい。
【００４５】  制御部１０１は、スイッチ部１１を制御することにより、自システム（蓄電システム１）の電力系統２への連系を制御する。制御部１０１は、タイマ機能を有している。制御部１０１が有するタイマ機能を、復電タイマとも呼ぶ。制御部１０１は、出力部１１３が出力した連系開始時間を受信し、該連系開始時間を復電タイマの設定時間として使用する。なお、この設定時間は、制御部１０１内の記憶領域に記憶されるものであってもよい。また、制御部１０１は、記憶部１０３に格納された連系開始時間を、復電タイマの設定時間として使用してもよい。
【００４６】  制御部１０１は、スイッチ部１１から送信された信号を受信する。制御部１０１は、受信した信号が解列通知の場合、次に、復電通知を受信するまで、待機する。そして、制御部１０１は、復電通知を受信すると、復電タイマのカウントを開始する。
【００４７】  本実施の形態において、この復電タイマは、カウント開始時からの経過時間（カウント）が設定時間（連系開始時間）となるまで、カウントアップするタイマであるとするが、これに限定されるものではない。復電タイマは、連系開始時間を初期値として設定し、この初期値からカウントダウンするタイマであってもよい。
【００４８】  制御部１０１は、復電タイマのカウント中に、停電通知を受信すると、カウントをクリアする。その後、制御部１０１は、復電通知を受信すると再び復電タイマのカウントを開始する。
【００４９】  制御部１０１は、復電タイマのカウント（経過時間）が連系開始時間になると、スイッチ部１１に対して、スイッチを閉じる指示（連系指示）を制御信号として送信する。この指示に従い、スイッチ部１１がスイッチを閉じることにより、蓄電システム１は、電力系統２に連系することができる。
【００５０】  また、制御部１０１は、カウントを示す情報と、連系開始時間を示す情報とを表示部１０２に出力する。
【００５１】  表示部１０２は、復電してから、蓄電システム１が連系を開始するまでの時間を画面に表示する機能を有する。表示部１０２は、カウントを示す情報と、連系開始時間を示す情報とを制御部１０１から受け取り、残りカウントを算出する。そして、表示部１０２は、算出した残りカウントを、蓄電システム１が連系を開始するまでの時間として、画面に表示する。
【００５２】  なお、表示部１０２は、復電タイマが、設定時間（連系開始時間）からカウントダウンするタイマの場合、カウント自体を画面に表示する構成であってもよい。これにより、蓄電システム１は、利用者に、連系が開始されるまでの時間を提示することができる。
【００５３】  なお、表示部１０２に表示される情報は、蓄電システム１が連系を開始するまでの時間に限定されず、例えば、停電を検知したことを示す情報や、復電を検知したことを示す情報であってもよい。
【００５４】  （制御装置１００の処理）  次に、図３および図４を参照して、制御装置１００の処理の流れについて説明を行う。図３は、本実施の形態に係る制御装置１００の連系時間設定部１１０における、連系時間設定処理の流れの一例を示すフローチャートである。また、図４は、本実施の形態に係る制御装置１００における、再連系制御処理の流れの一例を示すフローチャートである。
【００５５】  図３に示す通り、連系時間設定部１１０の収集部１１１が、連系開始時間の算出に用いる、自システムの固有の情報と、予め電力会社等によって設定された連系開始時間の最小値および最大値を示す情報とを収集する（ステップＳ３１）。
【００５６】  次に、設定部１１２が、ステップＳ３１で収集された情報を入力情報として用いて、該入力情報に応じて、連系開始時間を算出する（ステップＳ３２）。そして、設定部１１２が算出結果を自システムの連系開始時間として設定し（ステップＳ３３）、連系時間設定処理を終了する。
【００５７】  このように、設定部１１２が連系開始時間の算出に使用する入力情報は、蓄電システム１に固有の情報である。そのため、電力制御システム１０に含まれる複数の蓄電システム１の制御装置１００の夫々に備えられた設定部１１２は、電力制御システム１０に含まれる複数の蓄電システム１毎に異なる連系開始時間を、自システム（蓄電システム１）に設定することができる。
【００５８】  次に、本実施の形態に係る制御装置１００における、再連系制御処理について説明する。なお、図４では、蓄電システム１が電力系統２と連系していない状態（解列通知を受信した後の状態）であることを前提に説明を行う。
【００５９】  図４に示す通り、制御装置１００の制御部１０１は、復電を検知したスイッチ部１１から復電通知を受信する（ステップＳ４１）と、復電タイマのカウントを開始する（ステップＳ４２）。そして、制御部１０１は、カウントが設定時間（連系開始時間）になったか否かを確認する（ステップＳ４３）。
【００６０】  そして、制御部１０１は、カウントが設定時間でないとき（ステップＳ４３にてＮＯ）に、停電通知を受信したか否かを確認する（ステップＳ４４）。停電通知を受信していない場合（ステップＳ４４にてＮＯ）、制御部１０１は、処理をステップＳ４３に戻す。
【００６１】  停電通知を受信した場合（ステップＳ４４にてＹＥＳ）、制御部１０１は、カウントをクリアし（ステップＳ４５）、処理をステップＳ４１に戻し、次の復電通知を受信するまで待機する。
【００６２】  カウントが設定時間となったとき（ステップＳ４３にてＹＥＳ）、制御部１０１は、スイッチ部１１に連系指示を送信する（ステップＳ４６）。
【００６３】  連系指示を受け取ったスイッチ部１１は、スイッチを閉じて、蓄電システム１を電力系統２に連系させる。これにより、蓄電システム１は、電力系統２に連系することができる。
【００６４】  （効果）  本実施の形態に係る制御装置１００によれば、蓄電システム１の再連系時であっても、電力系統２の安定性を向上させることができる。なぜならば、電力系統２に連系可能な複数の蓄電システム１の制御装置１００の夫々に備えられた連系時間設定部１１０が、蓄電システム１が電力系統２と解列後に電力系統２における電力供給が可能になった時点から、連系を開始するまでの時間を示す連系開始時間を設定するからである。このとき、連系時間設定部１１０は、連系開始時間を蓄電システム１毎に異なるように設定する。
【００６５】  これにより、蓄電システム１は、電力系統２との解列後に該電力系統２における電力供給が可能になった時点から、設定された連系開始時間経過後に、電力系統２に連系することができる。この連系開始時間は、蓄電システム１毎に異なるように設定されているため、連系開始時間が固定的に設定されていた場合と比べ、一度に多数の蓄電システム１が電力系統２に連系することを防ぐことができる。
【００６６】  また、本実施の形態に係る制御装置１００によれば、電力会社の作業者等が、例えば、蓄電システム１を設置するときに、どの蓄電システム１にどれくらいの長さの連系開始時間を設定すれば電力系統２が安定するのかを考えて設定する場合に比べ、該作業者の手間を省くことができる。
【００６７】  ＜第２の実施の形態＞  次に、本発明の第２の実施の形態について、図面を参照して説明する。なお、説明の便宜上、前述した第１の実施の形態で説明した図面に含まれる部材と同じ機能を有する部材については、同じ符号を付し、その説明を省略する。
【００６８】  第１の実施の形態では、設定部１１２が、自システムが連系可能な電力系統２に連系可能な他の蓄電システム、とは異なるように、連系開始時間を設定することについて説明したが、これに限定されるものではない。設定部１１２は、蓄電システム１の連系開始時間を、同じ電力系統に連系された、１以上の蓄電システム１を含む蓄電システム群毎に異なるように、且つ、１つの蓄電システム群に含まれる１以上の蓄電システム１は同じになるように、設定してもよい。
【００６９】  図５は、本実施の形態に係る蓄電システム１を含む電力制御システム２０の全体構成の概略の一例を示す図である。電力制御システム２０は、第１の実施の形態に係る電力制御システム１０と同様に、電力系統２と、電力系統２に連系可能な複数の蓄電システムを含んでいる。
【００７０】  複数の蓄電システム１の夫々は、１以上の蓄電システム１を含む蓄電システム群の何れかに属している。図５において、破線で示した矩形は、蓄電システム群の一例を示している。
【００７１】  複数の蓄電システム１の夫々は、所定のルールに基づいて各蓄電システム群にグループ分けされる。例えば、あるビルの各階に、蓄電システム１が設置されている場合、蓄電システム１は、設置された階に応じたグループに分けられるものであってもよい。例えば、奇数階に設置された蓄電システム１を１つのグループにし、偶数階に設置された蓄電システム１を１つのグループにしてもよい。また、蓄電システム１が設置された場所（住所）を示す情報を用いて、所定範囲内に含まれる蓄電システム１を同じグループにしてもよい。また、上記住所を示す情報を用いて、所定範囲内に含まれる蓄電システム１は、夫々異なるグループに属するようにしてもよい。このように、蓄電システム群にどの蓄電システム１を含めるかについては、特に限定されるものではない。
【００７２】  この蓄電システム群に含まれる蓄電システム１の夫々に含まれる制御装置１００の機能構成は、図２に示す制御装置１００と同様であるため、図２を参照して説明する。
【００７３】  収集部１１１は、自システム（蓄電システム１）が属する（含まれる）蓄電システム群の固有の情報を収集する。この固有の情報は、第１の実施の形態に係る収集部１１１が収集する情報と同様であるため、説明を省略する。収集部１１１は、収集した情報を設定部１１２に出力する。
【００７４】  設定部１１２は、収集部１１１から出力された情報を、該設定部１１２の入力情報として受信する。そして、設定部１１２は、連系開始時間が、電力制御システム２０に含まれる複数の蓄電システム群毎に異なるように、該連系開始時間を算出する。つまり、設定部１１２は、自システムの連系開始時間を、自システムが属する蓄電システム群とは異なる蓄電システム群に含まれる蓄電システム１であって、同じ電力系統２に連系可能な蓄電システム１の連系開始時間とは異なるように、算出する。そして、算出した連系開始時間を自システムに設定する。このとき、設定部１１２は、自システムが属する蓄電システム群に属する他の蓄電システム１と同じ連系開始時間になるように、自システムの連系開始時間を設定する。
【００７５】  このように、本実施の形態に係る制御装置１００は、１以上の蓄電システム１が属する蓄電システム群毎に異なるように、且つ、同じ蓄電システム群に含まれる１以上の蓄電システム１は同じになるように、連系開始時間を設定する。これにより、同じグループ（蓄電システム群）に含まれる蓄電システム１は、同じタイミングで電力系統２に連系することができる。また、異なるグループに属する蓄電システム１は、異なるタイミングで電力系統２に連系するため、第１の実施の形態と同様に、再連系時であっても、電力系統２の安定性を向上させることができる。
【００７６】  ＜第３の実施の形態＞  次に、本発明の第３の実施の形態について、図６および図７を参照して説明する。なお、説明の便宜上、前述した第１の実施の形態で説明した図面に含まれる部材と同じ機能を有する部材については、同じ符号を付し、その説明を省略する。
【００７７】  上述した第１および第２の実施の形態では、連系開始時間は、設定部１１２によって固定的に設定されることについて説明したが、これに限定されるものではない。設定部１１２は、連系開始時間を都度変更するものであってもよい。
【００７８】  本実施の形態では、連系開始時間を、前記電力系統との解列後に前記電力系統からの電力供給が可能になる度に設定することについて説明する。
【００７９】  図６は、本実施の形態に係る制御装置１００の機能構成の一例を示す機能ブロック図である。また、図７は、本実施の形態に係る制御装置１００の再連系制御処理の流れの一例を示すフローチャートである。
【００８０】  なお、本実施の形態に係る制御装置１００の連系時間設定部１１０は、第１の実施の形態に係る連系時間設定部１１０と同様に、蓄電システム１毎に異なるように、連系開始時間を設定するとして説明を行うが、これに限定されるものではない。本実施の形態に係る制御装置１００の連系時間設定部１１０は、第２の実施の形態に係る連系時間設定部１１０と同様に、１以上の蓄電システム１を含む蓄電システム群毎に異なるように、連系開始時間を設定してもよい。
【００８１】  図６に示す通り、本実施の形態に係る制御装置１００は、制御部１０１、表示部１０２および連系時間設定部（連系時間設定装置）１１０を備えている。また、連系時間設定部１１０は、収集部１１１、設定部１１２および出力部１１３を備えている。また、制御装置１００は、記憶部１０３を更に備える構成であってもよい。
【００８２】  本実施の形態に係る制御装置１００と、第１の実施の形態に係る制御装置１００との異なる点は、制御部１０１から収集部１１１に対して、信号を送信する点である。以下では、図６の各部の処理を、図７のフローチャートを参照しながら説明する。なお、図７では、蓄電システム１が電力系統２と連系していない状態（解列通知を受信した後の状態）であることを前提に説明を行う。
【００８３】  図７に示す通り、まず、制御部１０１は、復電を検知したスイッチ部１１から復電通知を受信する（ステップＳ７１）と、復電タイマのカウントを開始する（ステップＳ７２）。また、制御部１０１は、連系時間設定部１１０の収集部１１１に対し、復電通知を受信したことを示す信号を送信する。制御部１０１は、この信号の送信をステップＳ７２と同時に行ってもよい。
【００８４】  収集部１１１は、制御部１０１から、復電通知を受信したことを示す信号を受信すると、連系開始時間の算出に用いる、自システムの固有の情報と、予め電力会社等によって設定された連系開始時間の最小値および最大値を示す情報とを収集する（ステップＳ７３）。
【００８５】  また、設定部１１２は、入力情報に応じて、連系開始時間を算出し（ステップＳ７４）、算出結果を自システムの連系開始時間として設定する（ステップＳ７５）。このステップＳ７３〜ステップＳ７５は、第１の実施の形態において説明した連系時間設定処理（ステップＳ３１〜ステップＳ３３）と同様の処理である。そして、出力部１１３は、設定部１１２が設定した連系開始時間を連系時間設定部１１０の出力として、制御部１０１に出力する。なお、出力部１１３は、設定部１１２が設定した連系開始時間を、記憶部１０３に格納してもよい。
【００８６】  次に、制御部１０１は、ステップＳ４３と同様に、カウントが設定時間（連系開始時間）になったか否かを確認する（ステップＳ７６）。そして、制御部１０１は、カウントが設定時間でないとき（ステップＳ７６にてＮＯ）に、停電通知を受信したか否かを確認する（ステップＳ７７）。停電通知を受信していない場合（ステップＳ７７にてＮＯ）、制御部１０１は、処理をステップＳ７６に戻す。
【００８７】  停電通知を受信した場合（ステップＳ７７にてＹＥＳ）、制御部１０１は、カウントをクリアする（ステップＳ７８）。そして、制御部１０１は、復電を検知したスイッチ部１１から復電通知を受信する（ステップＳ７９）と、再度、復電タイマのカウントを開始する（ステップＳ８０）。そして、制御部１０１は、処理をステップＳ７６に戻す。
【００８８】  カウントが設定時間となったとき（ステップＳ７６にてＹＥＳ）、制御部１０１は、スイッチ部１１に連系指示を送信する（ステップＳ８１）。
【００８９】  連系指示を受け取ったスイッチ部１１は、スイッチを閉じて、蓄電システム１を電力系統２に連系させる。これにより、蓄電システム１は、電力系統２に連系することができる。
【００９０】  本実施の形態では、スイッチが開放された状態において、停電通知を受信した（ステップＳ７７）後に、復電通知を受信した（ステップＳ７９）場合、制御部１０１は、ステップＳ７３〜Ｓ７５の連系時間設定処理で設定された連系開始時間を復電タイマの設定時間として用いた。しかし、制御装置１００は、ステップＳ７８の後に、ステップＳ７１に処理を戻し、再度連系開始時間を設定する処理を行ってもよい。つまり、本実施の形態に係る制御装置１００は、蓄電システム１が電力系統２に連系後、解列した後毎に連系開始時間を設定してもよいし、スイッチ部１１のセンサが所定の値を超えた電圧を検知したとき毎に、連系開始時間を設定してもよい。
【００９１】  このとき、設定部１１２は、連系開始時間が電力制御システム１０に含まれる複数の蓄電システム１毎に異なるように、且つ、前回に算出した値と異なるように、連系開始時間を算出する。このとき、所定の関数に入力する情報として、蓄電システム１の設定情報のように固定の情報だけでなく、該制御装置１００が前回算出した連系開始時間を用いることが好ましい。また、所定の関数に入力する情報として、現在時刻であってもよい。これにより、例えば、所定の関数が、入力が同じものは同じ結果を出力するような関数であっても、所定の関数に入力する情報が算出する度に変更されるため、設定部１１２は、異なる結果を出力することができる。
【００９２】  （効果）  本実施の形態に係る制御装置１００によれば、第１の実施の形態に係る制御装置１００と同様に、蓄電システム１の再連系時であっても、電力系統２の安定性を向上させることができる。
【００９３】  また、固定的に連系開始時間が設定されている場合、複数の蓄電システム１の夫々における時間であって、復電から再連系までの時間に差が出てしまう可能性がある。したがって、このような場合、蓄電システム１間の公平性が低くなる可能性がある。
【００９４】  しかしながら、本実施の形態に係る制御装置１００は、設定部１１２が、連系開始時間を復電通知を受信する度に変更するため、各蓄電システム１に対する公平性をより高めることができる。
【００９５】  ＜第４の実施の形態＞  次に、本発明の第４の実施の形態について、図８および図９を参照して説明する。なお、説明の便宜上、前述した各実施の形態で説明した図面に含まれる部材と同じ機能を有する部材については、同じ符号を付し、その説明を省略する。
【００９６】  第１から第３の実施の形態では、連系時間設定部１１０が各制御装置１００に備えられることについて説明を行ったが、連系時間設定部１１０は、制御装置１００とは別個の装置に備えられるものであってもよい。
【００９７】  本実施の形態では、連系時間設定部１１０が各蓄電システム１を制御する装置（連系時間設定装置）に備えられることについて説明を行う。
【００９８】  図８は、本実施の形態に係る電力制御システム３０の全体構成の概略の一例を示す図である。図８に示す通り、電力制御システム３０は、第１の実施の形態に係る電力制御システム１０と同様に複数の負荷（３−１〜３−Ｎ）（Ｎは自然数）の夫々に電力を供給する。電力制御システム３０は、複数の蓄電システム（１―１〜１−Ｎ）と、電力系統２と、連系時間設定装置３００と、を含んでいる。
【００９９】  電力系統２には、複数の負荷３が接続（連系）している。また、電力系統２には、複数の蓄電システム１が連系可能に構成されている。電力系統２は、連系時、複数の負荷３の夫々に電力を供給する。
【０１００】  複数の蓄電システム１の夫々は、連系時、対応する負荷３の状態に応じて、電力系統２から供給された電力を蓄電、または、負荷３に対して給電する。また、複数の蓄電システム１の夫々は、電力系統２の停電時、対応する負荷３に対して、電力を供給する。この蓄電システム（１−１〜１−Ｎ）には、夫々、制御装置（２００−１〜２００−Ｎ）と、スイッチ部（１１−１〜１１−Ｎ）と、ＰＣＳ（１２−１〜１２−Ｎ）と、電池システム（１３−１〜１３−Ｎ）とが含まれる。
【０１０１】  なお、本実施の形態では、制御装置（２００−１〜２００−Ｎ）の夫々を区別しない場合、または、総称する場合には、これらを制御装置２００と呼ぶ。
【０１０２】  スイッチ部１１は、第１の実施の形態におけるスイッチ部１１と同様であるため、説明を省略する。ＰＣＳ１２および電池システム１３についても、第１の実施の形態におけるＰＣＳ１２および電池システム１３と同様であるため、説明を省略する。
【０１０３】  連系時間設定装置３００は、ネットワークを介して制御装置２００を制御する。連系時間設定装置３００は、クラウド上の例えばサーバ等によって実現される。
【０１０４】  次に、図９を参照して、電力制御システム３０に含まれる制御装置２００および連系時間設定装置３００の機能構成について説明する。図９は、本実施の形態に係る電力制御システム３０における蓄電システム１の制御装置２００、および、連系時間設定装置３００の機能構成の一例を示す機能ブロック図である。
【０１０５】  （連系時間設定装置３００）  図９に示す通り、連系時間設定装置３００は、収集部１１１、設定部１１２および出力部１１３を備えた連系時間設定部１１０を備えている。なお、図９に示す連系時間設定装置３００は、本発明の実施の形態に特有な構成について示したものであり、図９に示す連系時間設定装置３００が図９に示されていない部材（例えば、蓄電システム１の充放電を制御する部材等）を有していてもよいことは言うまでもない。
【０１０６】  収集部１１１は、蓄電システム１の固有の情報を収集する際、収集対象の蓄電システム１の制御装置２００に対して、情報を要求する通知（情報要求）を送信する。そして、収集部１１１は、制御装置２００から情報要求に対する回答として、該蓄電システム１の固有の情報を受信することにより、蓄電システム１の固有の情報を収集する。
【０１０７】  そして、設定部１１２は、収集部１１１が収集した情報を用いて、連系開始時間が電力制御システム３０に含まれる複数の蓄電システム１毎に異なるように、情報を送信した蓄電システム１の連系開始時間を設定する。
【０１０８】  なお、収集部１１１および設定部１１２の具体的な動作については、上述した第１の実施の形態における収集部１１１および設定部１１２の動作と同様であるため、本実施の形態では、その説明を省略する。
【０１０９】  なお、設定部１１２は、固有の情報に、蓄電システム１が設置された場所を示す情報が含まれる場合、この場所に応じて連系開始時間を算出してもよい。例えば、蓄電システム１が設置された位置が近いもの同士の連系開始時間が大きく異なるように、設定部１１２は、各蓄電システム１の連系開始時間を算出してもよい。
【０１１０】  そして、出力部１１３は、設定部１１２が設定した連系開始時間を、該連系開始時間が設定された蓄電システム１の制御装置２００に対して送信（出力）する。
【０１１１】  （制御装置２００）  図９に示す通り、制御装置２００は、制御部１０１、表示部１０２、送信部２０４および受信部２０５を備えている。また、制御装置２００は、記憶部１０３を更に備える構成であってもよい。
【０１１２】  受信部２０５は連系時間設定装置３００から送信された情報要求を受信すると、その旨を示す信号を送信部２０４に送信する。また、受信部２０５は、連系時間設定装置３００から送信された連系開始時間を、制御部１０１に出力する。なお、受信部２０５は、受信した連系開始時間を、記憶部１０３に格納してもよい。
【０１１３】  送信部２０４は、受信部２０５から情報要求を受信したことを示す信号を受信すると、連系時間設定装置３００に対して、自制御装置２００を含む蓄電システム１（自システム）の固有の情報を送信する。送信部２０４は、例えば、記憶部１０３に格納された、製造番号等の該蓄電システム１に関する設定情報を、記憶部１０３から取得して、連系時間設定装置３００に送信してもよい。送信部２０４が、自システムの固有の情報を取得する方法は、特に限定されない。
【０１１４】  記憶部１０３は、受信部２０５が連系時間設定装置３００から受信した連系開始時間を格納する。なお、記憶部１０３は、蓄電システム１の設定情報等の固有の情報を格納してもよい。また、記憶部１０３は、制御装置２００の内部に設けられるものであってもよいし、制御装置２００とは別個の記憶装置で実現されるものであってもよい。
【０１１５】  制御部１０１および表示部１０２の夫々の動作は、第１の実施の形態における制御部１０１および表示部１０２と同様であるため、本実施の形態では、その説明を省略する。
【０１１６】  なお、連系時間設定装置３００は、出力部１１３が出力した連系開始時間を蓄電システム１毎に格納する記憶手段を備える構成であってもよい。また、連系時間設定装置３００は、連系開始時間を設定した蓄電システム１が連系を開始するまでの時間を、蓄電システム１毎に表示する表示手段を更に備える構成であってもよい。
【０１１７】  （効果）  本実施の形態に係る電力制御システム３０の連系時間設定装置３００は、上述した第１の実施の形態と同様の効果を得ることができる。更に、電力制御システム３０の連系時間設定装置３００が、複数の蓄電システム１の夫々の連系開始時間を設定するため、各制御装置が設定する場合に比べ各蓄電システム１の連系開始時間をより異なる値に設定することができる。
【０１１８】  このように、ネットワークを介して蓄電システム１を制御する連系時間設定装置３００であっても、蓄電システム１の再連系時に、電力系統２の安定性を向上させることができる。
【０１１９】  したがって、本実施の形態にかかる電力制御システム３０は、例えば、ＨＥＭＳ（Ｈｏｍｅ  Ｅｎｅｒｇｙ  Ｍａｎａｇｅｍｅｎｔ  Ｓｙｓｔｅｍ）、ＢＥＭＳ（Ｂｕｉｌｄｉｎｇ  Ｅｎｅｒｇｙ  Ｍａｎａｇｅｍｅｎｔ  Ｓｙｓｔｅｍ）、ＣＥＭＳ（Ｃｌｕｓｔｅｒ／Ｃｏｍｍｕｎｉｔｙ  Ｅｎｅｒｇｙ  Ｍａｎａｇｅｍｅｎｔ  Ｓｙｓｔｅｍ）等に適用することができる。
【０１２０】  ＜第５の実施の形態＞  次に、本発明の第５の実施の形態について説明する。第４の実施の形態では、設定部１１２が、連系開始時間が蓄電システム１毎に異なるように、連系開始時間を設定することについて説明したが、これに限定されるものではない。設定部１１２は、第２の実施の形態と同様に、蓄電システム１の連系開始時間を、同じ電力系統に連系された、１以上の蓄電システム１を含む蓄電システム群毎に異なるように、且つ、１つの蓄電システム群に含まれる１以上の蓄電システム１は同じになるように、設定してもよい。
【０１２１】  このように、本実施の形態に係る連系時間設定装置３００は、１以上の蓄電システム１が属する蓄電システム群毎に異なるように、且つ、同じ蓄電システム群に含まれる１以上の蓄電システム１は同じになるように、連系開始時間を設定する。これにより、同じグループ（蓄電システム群）に含まれる蓄電システム１は、同じタイミングで電力系統２に連系することができる。また、異なるグループに属する蓄電システム１は、異なるタイミングで電力系統２に連系するため、第４の実施の形態と同様に、再連系時であっても、電力系統２の安定性を向上させることができる。
【０１２２】  ＜第６の実施の形態＞  次に、本発明の第６の実施の形態について、図１０および図１１を参照して説明する。なお、説明の便宜上、前述した各実施の形態で説明した図面に含まれる部材と同じ機能を有する部材については、同じ符号を付し、その説明を省略する。
【０１２３】  上述した第４および第５の実施の形態における電力制御システムでは、連系開始時間が、設定部１１２によって固定的に設定されることについて説明したが、第３の実施の形態と同様に設定部１１２は、連系開始時間を都度変更するものであってもよい。
【０１２４】  本実施の形態では、連系開始時間を、前記電力系統との解列後に前記電力系統からの電力供給が可能になる度に設定することについて説明する。
【０１２５】  図１０は、本実施の形態に係る電力制御システム３０における蓄電システム１の制御装置２００、および、連系時間設定装置３００の機能構成の一例を示す機能ブロック図である。また、図１１は、制御装置２００、および、連系時間設定装置３００の処理の流れの一例を示すフローチャートである。図１１においては、制御装置２００の処理を左側に、連系時間設定装置３００の処理を右側に示している。また、制御装置２００に対するフローチャートと、連系時間設定装置３００に対するフローチャートとの間の破線の矢印は、情報の伝達を示している。
【０１２６】  なお、本実施の形態に係る連系時間設定装置３００の連系時間設定部１１０は、第４の実施の形態に係る連系時間設定部１１０と同様に、蓄電システム１毎に異なるように、連系開始時間を設定するとして説明を行うが、これに限定されるものではない。連系時間設定部１１０は、第５の実施の形態と同様に、１以上の蓄電システム１を含む蓄電システム群毎に異なるように、連系開始時間を設定してもよい。
【０１２７】  図１０に示す通り、連系時間設定装置３００は、収集部１１１、設定部１１２および出力部１１３を備えた連系時間設定部１１０を備えている。また、制御装置２００は、制御部１０１、表示部１０２、送信部２０４および受信部２０５を備えている。また、制御装置２００は、記憶部１０３を更に備える構成であってもよい。
【０１２８】  本実施の形態に係る制御装置２００と、第４の実施の形態に係る制御装置２００との異なる点は、制御部１０１から送信部２０４に対して、信号を送信する点である。以下では、図１０の各部の処理を、図１１のフローチャートを参照しながら説明する。なお、図１１では、蓄電システム１が電力系統２と連系していない状態（解列通知を受信した後の状態）であることを前提に説明を行う。
【０１２９】  図１１に示す通り、まず、制御装置２００の制御部１０１が、復電を検知したスイッチ部１１から復電通知を受信する（ステップＳ１１１）と、復電タイマのカウントを開始する（ステップＳ１１２）。また、制御部１０１は、連系時間設定装置３００に対し、復電通知を受信したことを示す信号を送信部２０４に送信する。なお、制御部１０１は、この信号の送信とステップＳ１１２とを同時に行ってもよい。
【０１３０】  送信部２０４は、復電通知を受信したことを示す信号を受信すると、自システムの固有の情報と、予め電力会社等によって設定された連系開始時間の最小値および最大値を示す情報とを連系時間設定装置３００に送信する（ステップＳ１１３）。
【０１３１】  連系時間設定装置３００の収集部１１１は、制御装置２００から送信された、蓄電システム１の固有の情報等を受信する（ステップＳ１１４）。これにより、収集部１１１は、連系開始時間の算出に用いる、蓄電システム１の固有の情報と、予め電力会社等によって設定された連系開始時間の最小値および最大値を示す情報とを収集する。
【０１３２】  そして、連系時間設定装置３００の設定部１１２は、入力情報に応じて、連系開始時間を算出し（ステップＳ１１５）、算出結果を、情報を送信した蓄電システム１の連系開始時間として設定する（ステップＳ１１６）。そして、出力部１１３は、設定部１１２が設定した連系開始時間を、連系開始時間を設定した蓄電システム１の制御装置２００に送信する。
【０１３３】  次に、制御装置２００の受信部２０５は、連系時間設定装置３００から連系時間設定装置３００が設定した連系開始時間を受信し（ステップＳ１１７）、制御部１０１に受信した連系開始時間を送信する。なお、受信部２０５は、受信した連系開始時間を、記憶部１０３に格納してもよい。
【０１３４】  制御装置２００の制御部１０１は、カウントが設定時間（連系開始時間）になったか否かを確認する（ステップＳ１１８）。そして、制御部１０１は、カウントが設定時間でないとき（ステップＳ１１８にてＮＯ）に、停電通知を受信したか否かを確認する（ステップＳ１１９）。停電通知を受信していない場合（ステップＳ１１９にてＮＯ）、制御部１０１は、処理をステップＳ１１８に戻す。
【０１３５】  停電通知を受信した場合（ステップＳ１１９にてＹＥＳ）、制御部１０１は、カウントをクリアする（ステップＳ１２０）。そして、制御部１０１は、復電を検知したスイッチ部１１から復電通知を受信する（ステップＳ１２１）と、再度、復電タイマのカウントを開始する（ステップＳ１２２）。そして、制御部１０１は、処理をステップＳ１１８に戻す。
【０１３６】  カウントが設定時間となったとき（ステップＳ１１８にてＹＥＳ）、制御部１０１は、スイッチ部１１に連系指示を送信する（ステップＳ１２３）。
【０１３７】  連系指示を受け取ったスイッチ部１１は、スイッチを閉じて、蓄電システム１を電力系統２に連系させる。これにより、蓄電システム１は、電力系統２に連系することができる。
【０１３８】  本実施の形態では、スイッチが開放された状態において、停電通知を受信した（ステップＳ１１９）後に、復電通知を受信した（ステップＳ１２１）場合、制御部１０１は、ステップＳ１１４〜Ｓ１１６の連系時間設定処理で設定された連系開始時間を復電タイマの設定時間として用いた。しかし、制御装置２００は、ステップＳ１２２の後に、ステップＳ１１１に処理を戻し、再度連系開始時間を設定する処理を行ってもよい。つまり、本実施の形態に係る電力制御システム３０は、蓄電システム１が電力系統２に連系後、解列した後毎に連系開始時間を設定してもよいし、スイッチ部１１のセンサが所定の値を超えた電圧を検知したとき毎に、連系開始時間を設定してもよい。
【０１３９】  このとき、設定部１１２は、連系開始時間が電力制御システム３０に含まれる複数の蓄電システム１毎に異なるように、且つ、前回に算出した値と異なるように、連系開始時間を算出する。このとき、所定の関数に入力する情報として、蓄電システム１の設定情報のように固定の情報だけでなく、該制御装置２００が前回算出した連系開始時間を用いることが好ましい。また、所定の関数に入力する情報として、現在時刻であってもよい。これにより、例えば、所定の関数が、入力が同じものは同じ結果を出力するような関数であっても、所定の関数に入力する情報が算出する度に変更されるため、設定部１１２は、異なる結果を出力することができる。
【０１４０】  （効果）  本実施の形態に係る電力制御システム３０によれば、第４の実施の形態と同様に、蓄電システム１の再連系時であっても、電力系統２の安定性を向上させることができる。
【０１４１】  また、本実施の形態に係る電力制御システム３０は、第３の実施の形態に係る電力制御システム１０と同様に、各蓄電システム１に対する公平性をより高めることができる。
【０１４２】  ＜第７の実施の形態＞  本発明の第７の実施の形態について説明する。本実施の形態では、本発明の課題を解決する最小の構成について説明を行う。
【０１４３】  図１２は、本実施の形態に係る連系時間設定装置４００の機能構成の一例を示す機能ブロック図である。図１２に示す通り、本実施の形態に係る連系時間設定装置４００は、設定部１１２と、出力部１１３とを備えている。本実施の形態に係る連系時間設定装置４００は、上述した各実施の形態における連系時間設定部１１０に相当する。
【０１４４】  設定部１１２は、電力系統に連系可能な複数の蓄電システムの夫々が、電力系統との解列後に該電力系統における電力供給が可能になった時点から、連系を開始するまでの時間を示す連系開始時間を、蓄電システム、または、蓄電システム群に含まれる蓄電システムに設定する。蓄電システム群は、１以上の蓄電システムを含んでいる。設定部１１２は、この連系開始時間を、蓄電システム毎、または、蓄電システム群毎に異なるように設定する。
【０１４５】  出力部１１３は、設定部１１２が設定した連系開始時間を連系時間設定装置４００の出力として出力する。
【０１４６】  電力系統に連系可能な複数の蓄電システムの夫々は、電力系統との解列後に該電力系統における電力供給が可能になった時点から、設定された連系開始時間経過後に、電力系統に連系することができる。この連系開始時間は、蓄電システム毎、または、蓄電システム群毎に異なるように設定されているため、連系開始時間が固定的に設定されていた場合と比べ、一度に多数の蓄電システムが連系することを防ぐことができる。これにより、本実施の形態に係る連系時間設定装置４００は、再連系時であっても、電力系統の安定性を向上させることができる。
【０１４７】  なお、この連系時間設定装置４００は、蓄電システムに備えられるものであってもよい。また、連系時間設定装置４００は、蓄電システムを、ネットワークを介して制御する装置であってもよい。
【０１４８】  ＜ハードウェアの構成例＞  ここで、上述した各実施の形態に係る制御装置（１００、２００）、連系時間設定装置（３００、４００）を夫々実現可能なハードウェアの構成例について説明する。上述した制御装置（１００、２００）、連系時間設定装置（３００、４００）は、専用の装置として実現してもよいが、コンピュータ（情報処理装置）を用いて実現してもよい。
【０１４９】  図１３は、本発明の各実施の形態を実現可能なコンピュータ（情報処理装置）のハードウェア構成を例示する図である。
【０１５０】  図１３に示した情報処理装置（コンピュータ）９０のハードウェアは、ＣＰＵ（Ｃｅｎｔｒａｌ  Ｐｒｏｃｅｓｓｉｎｇ  Ｕｎｉｔ）９１、通信インタフェース（Ｉ／Ｆ）９２、入出力ユーザインタフェース９３、ＲＯＭ（Ｒｅａｄ  Ｏｎｌｙ  Ｍｅｍｏｒｙ）９４、ＲＡＭ（Ｒａｎｄｏｍ  Ａｃｃｅｓｓ  Ｍｅｍｏｒｙ）９５、記憶装置９７、及びコンピュータ読み取り可能な記憶媒体９９のドライブ装置９８を備え、これらがバス９６を介して接続された構成を有する。入出力ユーザインタフェース９３は、入力デバイスの一例であるキーボードや、出力デバイスとしてのディスプレイ等のマンマシンインタフェースである。通信インタフェース９２は、上述した各実施の形態に係る装置（図２、図６、図８〜図１０、図１２）が、外部装置と、通信ネットワーク８０を介して通信するための一般的な通信手段である。係るハードウェア構成において、ＣＰＵ９１は、各実施の形態に係る制御装置（１００、２００）、連系時間設定装置（３００、４００）を実現する情報処理装置９０について、全体の動作を司る。
【０１５１】  上述した各実施の形態は、例えば、上記各実施の形態において説明した処理を実現可能なプログラム（コンピュータ・プログラム）を、図１３に示す情報処理装置９０に対して供給した後、そのプログラムを、ＣＰＵ９１に読み出して実行することによって達成される。なお、係るプログラムは、例えば、上記各実施の形態の説明において参照したフローチャート（図３、図４、図７、図１１）に記載した各種処理や、或いは、図２、図６、図８〜図１０、図１２に示したブロック図において当該装置内に示した各部（各ブロック）を実現可能なプログラムであってもよい。
【０１５２】  また、情報処理装置９０内に供給されたプログラムは、読み書き可能な一時記憶メモリ（９５）またはハードディスクドライブ等の不揮発性の記憶装置（９７）に格納されてもよい。即ち、記憶装置９７において、プログラム群９７Ａは、例えば、上述した各実施の形態における制御装置（１００、２００）、連系時間設定装置（３００、４００）内に示した各部の機能を実現可能なプログラムである。また、各種の記憶情報９７Ｂは、例えば、上述した各実施の形態における連系開始時間、蓄電システム１の固有の情報等である。ただし、情報処理装置９０へのプログラムの実装に際して、個々のプログラム・モジュールの構成単位は、ブロック図（図２、図６、図８〜図１０、図１２）に示した各ブロックの区分けには限定されず、当業者が実装に際して適宜選択してよい。
【０１５３】  また、前記の場合において、当該装置内へのプログラムの供給方法は、ＣＤ（Ｃｏｍｐａｃｔ  Ｄｉｓｃ）−ＲＯＭ、フラッシュメモリ等のコンピュータ読み取り可能な各種の記録媒体（９９）を介して当該装置内にインストールする方法や、インターネット等の通信回線（８０）を介して外部よりダウンロードする方法等のように、現在では一般的な手順を採用することができる。そして、このような場合において、本発明の各実施の形態は、係るコンピュータプログラムを構成するコード（プログラム群９７Ａ）或いは係るコードが格納された記憶媒体（９９）によって構成されると捉えることができる。
【０１５４】  以上、本発明を、上述した模範的な実施の形態に適用した例として説明した。しかしながら、本発明の技術的範囲は、上述した各実施の形態に記載した範囲には限定されない。当業者には、係る実施の形態に対して多様な変更または改良を加えることが可能であることは明らかである。そのような場合、係る変更または改良を加えた新たな実施の形態も、本発明の技術的範囲に含まれ得る。そしてこのことは、請求の範囲に記載した事項から明らかである。
【０１５５】  上記の実施の形態の一部又は全部は、以下の付記のようにも記載されうるが、以下には限られない。
【０１５６】  （付記１）電力系統に連系可能な複数の蓄電システムの夫々が、前記電力系統との解列後に、前記電力系統における電力供給が可能になった時点から、連系を開始するまでの時間を示す連系開始時間を、前記蓄電システム毎、または、１以上の前記蓄電システムを含む蓄電システム群毎に異なるように、前記蓄電システム、または、前記蓄電システム群に含まれる前記蓄電システムに設定する設定手段と、前記設定された連系開始時間を出力する出力手段と、を備えることを特徴とする連系時間設定装置。
【０１５７】  （付記２）前記設定手段は、前記蓄電システム群に含まれる前記１以上の蓄電システムの前記連系開始時間が同じになるように、前記連系開始時間を設定する、ことを特徴とする付記１に記載の連系時間設定装置。
【０１５８】  （付記３）前記設定手段は、入力情報に応じて、前記連系開始時間を算出することにより、前記連系開始時間を設定する、ことを特徴とする付記１または２に記載の連系時間設定装置。
【０１５９】  （付記４）前記入力情報は、前記蓄電システムまたは前記蓄電システム群の固有の情報である、ことを特徴とする付記３に記載の連系時間設定装置。
【０１６０】  （付記５）前記入力情報は、以前に、前記蓄電システムまたは前記蓄電システム群に含まれる前記蓄電システムに設定された連系開始時間である、ことを特徴とする付記３または４に記載の連系時間設定装置。
【０１６１】  （付記６）前記設定手段は、前記電力系統との解列後に前記電力系統からの電力供給が可能になる度に、前記連系開始時間を設定することを特徴とする、付記１から５の何れか１つに記載の連系時間設定装置。
【０１６２】  （付記７）前記連系時間設定装置は、前記複数の蓄電システムの夫々に含まれる制御装置に備えられるものであり、前記制御装置は、前記出力手段から出力された前記連系開始時間に基づいて、該制御装置を含む蓄電システムを前記電力系統に連系するよう制御する、ことを特徴とする付記１から６の何れか１つに記載の連系時間設定装置。
【０１６３】  （付記８）前記連系時間設定装置は、前記複数の蓄電システムの夫々に含まれる制御装置の夫々を、ネットワークを介して制御するものであり、前記制御装置は、前記出力手段から出力された前記連系開始時間に基づいて、該制御装置を含む蓄電システムを前記電力系統に連系するよう制御する、ことを特徴とする付記１から６の何れか１つに記載の連系時間設定装置。
【０１６４】  （付記９）前記制御装置は、該制御装置を含む蓄電システムが連系を開始するまでの時間を表示する表示手段を備えることを特徴とする付記７または８に記載の連系時間設定装置。
【０１６５】  （付記１０）前記連系時間設定装置は、前記蓄電システム、または、前記蓄電システム群に含まれる前記蓄電システムが連系を開始するまでの時間を、前記蓄電システム、または、前記蓄電システム群毎に表示する表示手段を備えることを特徴とする付記８に記載の連系時間設定装置。
【０１６６】  （付記１１）電力系統に連系可能な蓄電システムであって、前記電力系統との解列後に、前記電力系統における電力供給が可能になった時点から、連系を開始するまでの時間を示す連系開始時間を設定する設定手段と、前記電力供給が可能になった時点から、前記設定された連系開始時間の経過後に、前記電力系統に連系するよう制御する制御手段と、を備え、前記設定手段は、自システムが連系可能な前記電力系統に連系可能な他の蓄電システム、または、自システムが属する蓄電システム群とは異なる蓄電システム群に含まれ、かつ、前記電力系統に連系可能な１以上の蓄電システム、とは異なる連系開始時間となるように前記連系開始時間を設定することを特徴とする蓄電システム。
【０１６７】  （付記１２）前記設定手段は、前記蓄電システム群に含まれる前記１以上の蓄電システムの前記連系開始時間が同じになるように、前記連系開始時間を設定する、ことを特徴とする付記１１に記載の蓄電システム。
【０１６８】  （付記１３）前記設定手段は、入力情報に応じて、前記連系開始時間を算出することにより、前記連系開始時間を設定する、ことを特徴とする付記１１または１２に記載の蓄電システム。
【０１６９】  （付記１４）前記入力情報は、自システム、または、自システムが属する蓄電システム群の固有の情報である、ことを特徴とする付記１３に記載の蓄電システム。
【０１７０】  （付記１５）前記入力情報は、前記設定手段によって、以前に、自システムに設定された連系開始時間である、ことを特徴とする付記１３または１４に記載の蓄電システム。
【０１７１】  （付記１６）前記設定手段は、前記電力系統との解列後に前記電力系統からの電力供給が可能になる度に、前記連系開始時間を設定することを特徴とする、付記１１から１５の何れか１つに記載の蓄電システム。
【０１７２】  （付記１７）自システムが連系を開始するまでの時間を表示する表示手段を更に備えることを特徴とする付記１１から１６の何れか１つに記載の蓄電システム。
【０１７３】  （付記１８）電力系統に連系可能な複数の蓄電システムの夫々を制御する連系時間設定装置であって、前記蓄電システムの夫々が、前記電力系統との解列後に、前記電力系統における電力供給が可能になった時点から、連系を開始するまでの時間を示す連系開始時間を、前記蓄電システム毎、または、１以上の前記蓄電システムを含む蓄電システム群毎に異なるように、前記蓄電システム、または、前記蓄電システム群に含まれる前記蓄電システムに設定する設定手段と、前記設定された連系開始時間を、該連系開始時間が設定された蓄電システムに出力する出力手段と、を備えることを特徴とする連系時間設定装置。
【０１７４】  （付記１９）前記設定手段は、前記蓄電システム群に含まれる前記１以上の蓄電システムの前記連系開始時間が同じになるように、前記連系開始時間を設定する、ことを特徴とする付記１８に記載の連系時間設定装置。
【０１７５】  （付記２０）前記設定手段は、入力情報に応じて、前記連系開始時間を算出することにより、前記連系開始時間を設定する、ことを特徴とする付記１８または１９に記載の連系時間設定装置。
【０１７６】  （付記２１）前記入力情報は、前記蓄電システムまたは前記蓄電システム群の固有の情報である、ことを特徴とする付記２０に記載の連系時間設定装置。
【０１７７】  （付記２２）前記入力情報は、前記設定手段によって、以前に、前記蓄電システムまたは前記蓄電システム群に含まれる前記蓄電システムに設定された連系開始時間である、ことを特徴とする付記２０または２１に記載の連系時間設定装置。
【０１７８】  （付記２３）前記設定手段は、前記電力系統との解列後に前記電力系統からの電力供給が可能になる度に、前記連系開始時間を設定することを特徴とする、付記１８から２２の何れか１つに記載の連系時間設定装置。
【０１７９】  （付記２４）前記連系時間設定装置は、前記蓄電システム、または、前記蓄電システム群に含まれる前記蓄電システムが連系を開始するまでの時間を、前記蓄電システム、または、前記蓄電システム群毎に表示する表示手段を備えることを特徴とする付記１８から２３の何れか１つに記載の連系時間設定装置。
【０１８０】  （付記２５）  電力系統に連系可能な複数の蓄電システムを備え、前記複数の蓄電システムの夫々は、前記電力系統との解列後に、前記電力系統における電力供給が可能になった時点から、連系を開始するまでの時間を示す連系開始時間を、前記蓄電システム毎、または、１以上の前記蓄電システムを含む蓄電システム群毎に異なるように、前記蓄電システム、または、前記蓄電システム群に含まれる前記蓄電システムに設定する連系時間設定手段を備えることを特徴とする電力制御システム。
【０１８１】  （付記２６）電力系統に連系可能な複数の蓄電システムと、前記蓄電システムの夫々を制御する連系時間設定装置と、を備え、前記連系時間設定装置は、前記複数の蓄電システムの夫々が、前記電力系統との解列後に、前記電力系統における電力供給が可能になった時点から、連系を開始するまでの時間を示す連系開始時間を、前記蓄電システム毎、または、１以上の前記蓄電システムを含む蓄電システム群毎に異なるように、前記蓄電システム、または、前記蓄電システム群に含まれる前記蓄電システムに設定する連系時間設定手段、を備えることを特徴とする電力制御システム。
【０１８２】  （付記２７）電力系統に連系可能な蓄電システムであって、前記電力系統との解列後に、前記電力系統における電力供給が可能になった時点から連系を開始するまでの時間を示す連系開始時間を、入力情報に応じて異なるように設定する設定手段と、前記設定された連系開始時間を出力する出力手段と、を備えることを特徴とする蓄電システム。
【０１８３】  （付記２８）電力系統に連系可能な複数の蓄電システムの夫々が、前記電力系統との解列後に、前記電力系統における電力供給が可能になった時点から、連系を開始するまでの時間を示す連系開始時間を、前記蓄電システム毎、または、１以上の前記蓄電システムを含む蓄電システム群毎に異なるように、前記蓄電システム、または、前記蓄電システム群に含まれる前記蓄電システムに設定する、ことを特徴とする連系時間設定方法。
【０１８４】  （付記２９）電力系統との解列後に、前記電力系統における電力供給が可能になった時点から、連系を開始するまでの時間を示す連系開始時間を、自システムが連系可能な前記電力系統に連系可能な他の蓄電システム、または、自システムが属する蓄電システム群とは異なる蓄電システム群に含まれ、かつ、前記電力系統に連系可能な１以上の蓄電システム、とは異なるように設定し、前記電力供給が可能になった時点から、前記設定された連系開始時間の経過後に、前記電力系統に連系するよう制御する、ことを特徴とする制御方法。
【０１８５】  （付記３０）電力系統に連系可能な複数の蓄電システムの夫々が、前記電力系統との解列後に、前記電力系統における電力供給が可能になった時点から、連系を開始するまでの時間を示す連系開始時間を、前記蓄電システム毎、または、１以上の前記蓄電システムを含む蓄電システム群毎に異なるように、前記蓄電システム、または、前記蓄電システム群に含まれる前記蓄電システムに設定し、前記設定された連系開始時間を、該連系開始時間が設定された蓄電システムに出力する、ことを特徴とする制御方法。
【０１８６】  （付記３１）電力系統に連系可能な複数の蓄電システムの夫々が、前記電力系統との解列後に、前記電力系統における電力供給が可能になった時点から、連系を開始するまでの時間を示す連系開始時間を、前記蓄電システム毎、または、１以上の前記蓄電システムを含む蓄電システム群毎に異なるように、前記蓄電システム、または、前記蓄電システム群に含まれる前記蓄電システムに設定する処理と、前記設定された連系開始時間を出力する処理と、をコンピュータに実行させることを特徴とするプログラム。
【０１８７】  （付記３２）電力系統との解列後に、前記電力系統における電力供給が可能になった時点から、連系を開始するまでの時間を示す連系開始時間を、自システムが連系可能な前記電力系統に連系可能な他の蓄電システム、または、自システムが属する蓄電システム群とは異なる蓄電システム群に含まれ、かつ、前記電力系統に連系可能な１以上の蓄電システムとは異なるように設定する処理と、前記電力供給が可能になった時点から、前記設定された連系開始時間の経過後に、前記電力系統に連系するよう制御する処理と、をコンピュータに実行させることを特徴とするプログラム。
【０１８８】  （付記３３）電力系統に連系可能な複数の蓄電システムの夫々が、前記電力系統との解列後に、前記電力系統における電力供給が可能になった時点から、連系を開始するまでの時間を示す連系開始時間を、前記蓄電システム毎、または、１以上の前記蓄電システムを含む蓄電システム群毎に異なるように、前記蓄電システム、または、前記蓄電システム群に含まれる前記蓄電システムに設定する処理と、前記設定された連系開始時間を、該連系開始時間が設定された蓄電システムに出力する処理と、をコンピュータに実行させることを特徴とするプログラム。
【０１８９】  この出願は、２０１４年１０月２３日に出願された日本出願特願２０１４−２１６１１６を基礎とする優先権を主張し、その開示の全てをここに取り込む。
【符号の説明】
【０１９０】  １    蓄電システム  ２    電力系統  ３    負荷  １０    電力制御システム  １１    スイッチ部  １２    ＰＣＳ  １３    電池システム  ２０    電力制御システム  ３０    電力制御システム  １００    制御装置  １０１    制御部  １０２    表示部  １０３    記憶部  １１０    連系時間設定部  １１１    収集部  １１２    設定部  １１３    出力部  ２００    制御装置  ２０４    送信部  ２０５    受信部  ３００    連系時間設定装置  ４００    連系時間設定装置
【図１】
2016063536.tif 000003
【図２】
2016063536.tif 000004
【図３】
2016063536.tif 000005
【図４】
2016063536.tif 000006
【図５】
2016063536.tif 000007
【図６】
2016063536.tif 000008
【図７】
2016063536.tif 000009
【図８】
2016063536.tif 000010
【図９】
2016063536.tif 000011
【図１０】
2016063536.tif 000012
【図１１】
2016063536.tif 000013
【図１２】
2016063536.tif 000014
【図１３】
2016063536.tif 000015
【国際調査報告】
2016063536.tif 000016
2016063536.tif 000017
2016063536.tif 000018